(57)【要約】【課題】ＬＥＤを囲むようにして赤外カットフィルターを配置することにより、撮像素子であるＣＣＤにとって色再現性の問題となる赤外領域の波長の光をカットするとともに、ＬＥＤからの熱が導光部材を含む周辺部材に伝達されることを防止する。【解決手段】発光素子１４４と、長尺状の導光部材１３０とを有し、発光素子１４４からの光を導光部材１３０の内部で導光して長手方向に沿った光出射面１３２から被照射体に照射する照明装置であって、導光部材１３０の端面（光入射面）１３１に長手方向に向かって穴部１３４が形成され、この穴部１３４の中に発光素子１４４が配置され、かつ、穴部１３４の内面に発光素子１４４から出射される照射光のうち赤外領域の波長の光をカットする赤外カットフィルター１３５が設けられている。【選択図】図７
2016158067.tif 000002
【特許請求の範囲】
【請求項１】
発光素子と、長尺状の導光部材とを有し、前記発光素子からの光を前記導光部材の内部で導光して長手方向に沿った光出射面から被照射体に照射する照明装置であって、
前記導光部材の前記端面に前記長手方向に向かって穴部が形成され、前記穴部の中に前記発光素子が配置され、かつ、前記穴部の内面に前記発光素子から出射される照射光のうち赤外領域の波長の光をカットする赤外カット手段が設けられていることを特徴とする照明装置。
【請求項２】
請求項１に記載の照明装置であって、
前記赤外カット手段は、前記発光素子を取り囲むように設けられていることを特徴とする照明装置。
【請求項３】
請求項１または請求項２に記載の照明装置であって、
前記赤外カット手段は、前記穴部の内面に設けられた赤外カットフィルターであることを特徴とする照明装置。
【請求項４】
請求項１または請求項２に記載の照明装置であって、
前記穴部の内面に赤外カットフィルター層が形成されていることを特徴とする照明装置。
【請求項５】
請求項１または請求項２に記載の照明装置であって、
前記穴部の内面に赤外カットフィルター部材が装着されていることを特徴とする照明装置。
【請求項６】
請求項１から請求項５までのいずれか１項に記載の照明装置であって、
前記発光素子の光出射面に対向する面を除く前記穴部の内面に、前記発光素子からの光を反射させる反射部材が設けられていることを特徴とする照明装置。
【請求項７】
請求項１から請求項５までのいずれか１項に記載の照明装置であって、
前記導光部材の長手方向に沿った前記光出射面を除く外周面に、前記発光素子からの光を反射させる反射部材が設けられていることを特徴とする照明装置。
【請求項８】
発光素子と、長尺状の導光部材とを有し、前記発光素子からの光を前記導光部材の内部で導光して長手方向に沿った光出射面から被照射体に照射する照明装置であって、
前記発光素子から出射される照射光のうち赤外領域の波長の光をカットする赤外カット手段が、前記発光素子の前記光出射面から前記導光部材の長手方向の対向する端面まで前記発光素子の前記光出射面を取り囲むように設けられ、
前記赤外カット手段の外周面に前記発光素子からの光を反射させる反射部材が設けられていることを特徴とする照明装置。
【請求項９】
発光素子と、長尺状の導光部材とを有し、前記発光素子からの光を前記導光部材の内部で導光して長手方向に沿った光出射面から被照射体に照射する照明装置であって、
前記発光素子から出射される照射光のうち赤外領域の波長の光をカットする赤外カット手段が、基板に搭載された前記発光素子の前記基板部から前記導光部材の長手方向の対向する端面まで前記発光素子を取り囲むように設けられ、
前記赤外カット手段の外周面に前記発光素子からの光を反射させる反射部材が設けられていることを特徴とする照明装置。
【請求項１０】
請求項１から請求項９までのいずれか１つに記載の照明装置と、
前記被照射体を載置する透明な原稿台と、
前記被照射体を読み取る読取り部と、を備えたことを特徴とする画像読取装置。
【請求項１１】
請求項１０に記載の画像読取装置と、
前記画像読取装置により読み取られた前記被照射体の画像を記録用紙に印刷する印刷部と、を備えたことを特徴とする画像形成装置。
【発明の詳細な説明】
【技術分野】
【０００１】
本発明は、照明装置、画像読取装置及びそれを備えた画像形成装置に関する。
【背景技術】
【０００２】
この種の画像読取装置においては、ガラス上で原稿を副走査方向に搬送しつつ、ガラスの下方で、光源部により原稿を照明して、ＣＣＤ(Charge Coupled Device)等の撮像素子により原稿を主走査方向に繰り返し走査して読み取ったり、あるいはガラス上に原稿を位置決めして載置し、ガラスの下方で、光源部及び撮像素子等を副走査方向に移動させつつ、光源部により原稿を照明して、撮像素子により原稿を主走査方向に繰り返し走査して読み取ったりしている。また、原稿を照明する光源部としては、種々のものがあり、蛍光灯やＬＥＤアレイ等が用いられている。
【０００３】
このような画像読取装置では、原稿を照明する光を光源等が発光し、導光部材等を経由して原稿面に光が照射され、原稿面で反射された反射光（読取光）を所定の光路に沿ってＣＣＤ等の撮像素子まで到達させて撮像している。このとき、導光部材の内部で光を導光しつつ散乱反射させることで出射面から光を取り出している。
【０００４】
この場合、発光素子から種々の波長の光が照射されており、その中には、撮像素子であるＣＣＤにとって色再現性に好ましくない赤外領域の波長の光が含まれている。
【０００５】
そのため、赤外領域の波長の光をカットする赤外カットフィルターを発光素子と導光部材との間に設けた画像読取装置が提案されている（例えば、特許文献１参照）。
【０００６】
特許文献１では、光源として広指向性のＬＥＤと導光部材とを使用し、導光部材はＬＥＤの発光部に一端面（入射面）が接し、他端面（出射面）側が照明方向に向いた状態に配置されており、この導光部材の出射面に、赤外領域の波長の光をカットする赤外カットフィルターを設けた構成が開示されている。そして、この構成により、導光部材から出射されるＬＥＤからの照明光の前記波長領域が導光部材の出射面で除去されることにより、読み取り時の原稿面からの反射光から前記波長領域が除去され、人間の視覚特性と同等の特性で読み取ることを可能としている。
【先行技術文献】
【特許文献】
【０００７】
【特許文献１】特開２００６−２２７３８４号公報
【発明の概要】
【発明が解決しようとする課題】
【０００８】
ところで、特許文献１では、ＬＥＤが所定の間隔で主走査方向にライン状に並んでおり、これらＬＥＤの発光面に沿って長方形状の導光部材が全体を覆うように配置されている。そのため、導光部材の出射面もＬＥＤの発光面に沿って長方形状に配置されており、この出射面全体に赤外カットフィルターを設けることは、面積が大きくなり、一層のコストアップに繋がるといった問題があった。
【０００９】
また、ＬＥＤが高輝度になるに従い、より大きな放熱機構が必要になり、導光部材を含め、周辺部材の耐熱性が必要になる。しかし、特許文献１では、赤外カットフィルターをＬＥＤから離れた導光部材の他端面（出射面）に設けているため、ＬＥＤの近傍では導光部材に赤外領域の波長の光が導光されるため、ＬＥＤからの熱が導光部材を含む周辺部材に伝達されてしまうといった問題もあった。
【００１０】
本発明はかかる問題点を解決すべく創案されたもので、その目的は、ＬＥＤを囲むようにして赤外カットフィルターを配置することにより、撮像素子であるＣＣＤにとって色再現性の問題となる赤外領域の波長の光をカットするとともに、ＬＥＤからの熱が導光部材を含む周辺部材に伝達されることを防止して、より高輝度のＬＥＤの採用を可能とした照明装置、画像読取装置及び画像形成装置を提供することにある。
【課題を解決するための手段】
【００１１】
上記課題を解決するため、本発明の照明装置は、発光素子と、長尺状の導光部材とを有し、前記発光素子からの光を前記導光部材の内部で導光して長手方向に沿った光出射面から被照射体に照射する照明装置であって、前記導光部材の前記端面に前記長手方向に向かって穴部が形成され、前記穴部の中に前記発光素子が配置され、かつ、前記穴部の内面に前記発光素子から出射される照射光のうち赤外領域の波長の光をカットする赤外カット手段が設けられていることを特徴としている。また、前記赤外カット手段は、前記発光素子を取り囲むように設けられた構成としている。
【００１２】
この構成によると、不要な光をカットするとともに、発光素子からの熱が導光部材を含む周辺部材に伝達されることを防止することができる。
【００１３】
また、本発明の照明装置によれば、前記赤外カット手段は、前記穴部の内面に設けられた赤外カットフィルターとしている。具体的には、前記穴部の内面に赤外カットフィルター層が形成された構成としている。または、前記穴部の内面に赤外カットフィルター部材が装着された構成としている。
【００１４】
また、本発明の照明装置によれば、前記発光素子の光出射面に対向する面を除く前記穴部の内面に、前記発光素子からの光を反射させる反射部材が設けられた構成としている。
【００１５】
この構成によると、不要な光をカットするとともに、光の漏れを低減することができる。
【００１６】
また、本発明の照明装置によれば、前記導光部材の長手方向に沿った前記光出射面を除く外周面に、前記発光素子からの光を反射させる反射部材が設けられた構成としている。
【００１７】
この構成によると、不要な光をカットするとともに、光の漏れを低減することができる。
【００１８】
また、本発明の照明装置は、発光素子と、長尺状の導光部材とを有し、前記発光素子からの光を前記導光部材の内部で導光して長手方向に沿った光出射面から被照射体に照射する照明装置であって、前記発光素子から出射される照射光のうち赤外領域の波長の光をカットする赤外カット手段が、前記発光素子の前記光出射面から前記導光部材の長手方向の対向する端面まで前記発光素子の前記光出射面を取り囲むように設けられ、前記赤外カット手段の外周面に前記発光素子からの光を反射させる反射部材が設けられていることを特徴としている。
【００１９】
この構成によると、不要な光をカットするとともに、光の漏れを低減することができる。また、発光素子からの熱が導光部材を含む周辺部材に伝達されることを防止することができる。
【００２０】
また、本発明の照明装置は、発光素子と、長尺状の導光部材とを有し、前記発光素子からの光を前記導光部材の内部で導光して長手方向に沿った光出射面から被照射体に照射する照明装置であって、前記発光素子から出射される照射光のうち赤外領域の波長の光をカットする赤外カット手段が、基板に搭載された前記発光素子の前記基板部から前記導光部材の長手方向の対向する端面まで前記発光素子の全体を取り囲むように設けられ、前記赤外カット手段の外周面に前記発光素子からの光を反射させる反射部材が設けられていることを特徴としている。
【００２１】
この構成によると、不要な光をカットするとともに、光の漏れを低減することができる。また、発光素子からの熱が導光部材を含む周辺部材に伝達されることを防止することができる。
【００２２】
また、本発明の画像読取装置は、上記各構成の照明装置と、前記被照射体を載置する透明な原稿台と、前記被照射体を読み取る読取り部と、を備えたことを特徴としている。
【００２３】
また、本発明の画像形成装置は、上記構成の画像読取装置と、前記画像読取装置により読み取られた前記被照射体の画像を記録用紙に印刷する印刷部と、を備えたことを特徴としている。
【発明の効果】
【００２４】
本発明は上記のように構成したので、不要な光をカットするとともに、光の漏れを低減することができる。また、発光素子からの熱が導光部材を含む周辺部材に伝達されることを防止することができるので、より高輝度の発光素子を採用することができる。
【図面の簡単な説明】
【００２５】
【図１】本発明にかかる画像形成装置を示す概略斜視図である。
【図２】本発明にかかる画像形成装置を示す概略断面図である。
【図３】自動原稿送り装置、原稿読取部及び原稿載置台の概略縦断面図である。
【図４】実施の形態１にかかる光源ユニットの概略構成を示す概略斜視図である。
【図５】実施の形態１にかかる光源ユニットの概略断面図である。
【図６】実施の形態１にかかる光源ユニットの一端部を拡大して示す概略平面図である。
【図７】実施の形態１にかかる光源ユニットにおいて、発光素子と導光部材との配置位置関係を拡大して示す概略断面図である。
【図８】実施の形態１にかかる光源ユニットにおいて、発光素子と導光部材との配置位置関係を拡大して示す概略斜視図である。
【図９】実施の形態２にかかる光源ユニットにおいて、発光素子と導光部材との配置位置関係を拡大して示す概略断面図である。
【図１０】実施の形態３にかかる光源ユニットの一端部を拡大して示す概略平面図である。
【図１１】実施の形態３にかかる光源ユニットにおいて、発光素子と導光部材との配置位置関係を拡大して示す概略断面図である。
【図１２】実施の形態３にかかる光源ユニットにおいて、発光素子と導光部材との配置位置関係を拡大して示す概略斜視図である。
【図１３】実施の形態４にかかる光源ユニットの一端部を拡大して示す概略平面図である。
【図１４】実施の形態４にかかる光源ユニットにおいて、発光素子と導光部材との配置位置関係を拡大して示す概略断面図である。
【図１５】実施の形態４にかかる光源ユニットにおいて、発光素子と導光部材との配置位置関係を拡大して示す概略斜視図である。
【発明を実施するための形態】
【００２６】
以下、本発明の実施の形態について、図面を参照して詳細に説明する。
【００２７】
先ず、本発明が適用される原稿読取装置（画像読取装置）及び画像形成装置の構成例について説明する。
【００２８】
図１は本発明にかかる画像形成装置１００を示す概略斜視図である。図２は、本発明にかかる画像形成装置１００を示す概略断面図である。画像形成装置１００は、装置本体１１０及び自動原稿送り装置１２０を備え、さらに、装置本体１１０は、原稿の画像を読み取る原稿読取部９０と、原稿が載置される原稿載置台９２とを備えている。
【００２９】
原稿読取部９０は、装置本体１１０の上部に設けられている。原稿載置台９２は、透明ガラスで形成され、原稿読取部９０の上側に設けられている。自動原稿送り装置１２０は、原稿載置台９２の上側に取り付けられており、原稿載置台９２の上に自動で原稿を搬送する。また、自動原稿送り装置１２０は、装置本体１１０と自動原稿送り装置１２０とを連結する軸回りに回動自在に構成され、原稿載置台９２の上を開放することにより原稿を手置きで置くことができるようになっている。
【００３０】
自動原稿送り装置１２０、原稿読取部９０及び原稿載置台９２により、本発明にかかる原稿読取装置（画像読取装置）が構成されている。
【００３１】
画像形成装置１００は、原稿読取装置により読み取られた原稿の画像または外部から受信した画像データに応じて、所定の用紙（原稿）に対して多色及び単色の画像を形成する。
【００３２】
装置本体１１０は、露光ユニット１、現像器２、感光体ドラム３、クリーナユニット４、帯電器５、中間転写ベルトユニット６、定着ユニット７及び２次転写ユニット１０を備える構成とされている。本画像形成装置において扱われる画像データは、ブラック（Ｋ）、シアン（Ｃ）、マゼンタ（Ｍ）、イエロー（Ｙ）の各色を用いたカラー画像に応じたものである。従って、現像器２、感光体ドラム３、帯電器５、クリーナユニット４は、各色に応じた４種類の潜像を形成するようにそれぞれ４個ずつ設けられ、それぞれブラック、シアン、マゼンタ、イエローに設定され、これらによって４つの画像ステーションが構成されている。
【００３３】
画像形成装置１００は、さらに、給紙カセット８１、手差し給紙カセット８２、排紙トレイ９１を備えている。
【００３４】
図３は、図１及び図２に示す原稿読取装置、すなわち自動原稿送り装置１２０、原稿読取部９０及び原稿載置台９２の概略縦断面図である。
【００３５】
原稿読取部９０は、光源部１２９を含む光源ユニット１４０、ミラーユニット１４１、集光レンズ１４２及び撮像素子（ここではＣＣＤ）１４３を備えている。
【００３６】
原稿載置台９２は、透明なガラス板からなり、主走査方向の両端部が原稿読取部９０の枠体に載置されている。自動原稿送り装置１２０は、副走査方向（図３中の矢印Ｘに沿う方向）に沿った軸線回りに（例えばヒンジによって軸支され）原稿読取部９０に対して開閉可能となっている。自動原稿送り装置１２０の下面は、原稿読取部９０の原稿載置台９２上に載置された原稿Ｇを上から押さえる原稿カバー５０（図３参照）を兼ねている。
【００３７】
原稿読取装置は、原稿固定方式により原稿Ｇを固定して原稿画像を読み取ると共に、原稿移動方式により原稿Ｇを移動させて原稿画像を読み取るように構成されている。
【００３８】
原稿固定方式によって原稿Ｇの原稿画像を読み取る場合、光源ユニット１４０は原稿載置台９２に載置される原稿Ｇに対して光を原稿載置台９２を介して照射しながら一定の速度で副走査方向Ｘの一方側に移動して原稿Ｇの画像を走査する。このとき、光源部１２９は、原稿載置台９２の下から原稿Ｇが載置される載置面に向けて光を照射する。それと同時にミラーユニット１４１は光源ユニット１４０の移動速度の１／２の移動速度で同じく副走査方向Ｘの一方側に移動する。
【００３９】
光源ユニット１４０にて照明された原稿Ｇからの反射光（読取光）は、光源ユニット１４０に設けられた第１ミラーで反射したのち、ミラーユニット１４１の第２及び第３ミラーによって光路変換され、集光レンズ１４２を介して撮像素子１４３に結像し、ここで原稿画像光が読み取られて電気的な画像データに変換される。
【００４０】
一方、原稿移動方式によって原稿Ｇの原稿画像を読み取る場合、光源ユニット１４０及びミラーユニット１４１が図３に示される位置に静止したまま、自動原稿送り装置１２０によって原稿Ｇが図３に示される位置の上部を通過するように副走査方向Ｘの一方側に搬送される。
【００４１】
そして、原稿読取ガラス９３上を通過した原稿Ｇの一方の面に、光源ユニット１４０からの光が該原稿読取ガラス９３を介して照射されて該一方の面で反射される。原稿Ｇから反射された光は、上述の原稿固定方式と同様に第１ミラー１４６から第２ミラーさらに第３ミラーによって光路変換され、集光レンズ１４２を介して撮像素子１４３に結像し、ここで原稿画像が読み取られて電気的な画像データに変換される。
【００４２】
本発明の実施の形態に係る光源ユニット１４０は、一つ又は二つ以上の導光部材を備えたものとして構成することができる。ここでは、二つの導光部材１３０を備えた光源ユニット１４０を例にとって以下に説明する。
【００４３】
＜実施の形態１＞
図４は、実施の形態１にかかる光源ユニット１４０の概略構成を示す概略斜視図であり、図５は、実施の形態１にかかる光源ユニット１４０の概略断面図であり、図６は、実施の形態１にかかる光源ユニット１４０の一端部を拡大して示す概略平面図であり、図７は、実施の形態１にかかる光源ユニット１４０において、発光素子と導光部材との配置位置関係を拡大して示す概略断面図であり、図８は、実施の形態１にかかる光源ユニット１４０において、発光素子と導光部材との配置位置関係を拡大して示す概略斜視図である。図５は、図４中に示すＡ−Ａ位置での断面図である。
【００４４】
光源ユニット１４０は、発光素子１４４と、フレーム１４５と、第１ミラー１４６と、ＬＥＤ１４４が搭載される光源基板１４７と、光源駆動回路基板１４８と、放熱板１４９と、ホルダー部材１５０と、導光部材１３０とを備えている。
【００４５】
フレーム１４５は、主走査方向に長尺な板状部材の所定箇所を打ち抜き加工や折り曲げ加工により加工して、他の部材を固定支持する部材である。フレーム１４５に設けられた複数の孔は、他の部材をビス等によって取り付けるために用いられる。また、折り曲げて底部に対して立設された部分は、各部材の位置決めや固定に用いられる。
【００４６】
第１ミラー１４６は、ガラスの一面に銀蒸着で反射膜を形成したものであり、反射膜が形成された反射面と、反射面に略直交する端面と、反射面に対向する裏面を有しており、その断面形状は略矩形状で角部が面取り加工されている。また第１ミラー１４６は、それぞれ図示しないミラーホルダによってフレーム１４５に固定されており、原稿によって反射された読取光の光路上に所定位置及び所定角度で配置されている。第１ミラー１４６は、後述するホルダー部材１５０のスリットを通過してきた読取光が最初に入射するミラーであり、スリットの略直下に位置している。
【００４７】
光源基板１４７は、プリント配線基板等の表面上に発光素子１４４を搭載した部材である。図４に示すように、光源基板１４７は導光部材１３０の両端部に対向するようにホルダー部材１５０に取り付けられている。光源基板１４７には、導光部材１３０の端面に向けて光を出射するための光学系を設けていても良い。発光素子１４４としては、ＬＥＤ（Light Emitting Diode）が装置の小型化や点光源としての特性を有しているため最も適しているが、ＬＥＤの代わりに、他の種類の半導体素子や電球等を適用しても構わない。
【００４８】
光源駆動回路基板１４８は、光源基板１４７に搭載された発光素子１４４を駆動制御する駆動回路を搭載した基板であり、フレーム１４５上のホルダー部材１５０外部に取り付けられている。光源駆動回路基板１４８には図示しないハーネスの一端が接続されている。ハーネスの他端は、ホルダー部材１５０の周囲に沿って延伸されて光源基板に接続され、発光素子１４４を駆動する電力は制御信号を伝達する。
【００４９】
放熱板１４９は、熱伝導率の高い金属などにより形成された板状部材であり、光源基板１４７の裏面に熱的に接触して配置されている。したがって、発光素子１４４が発光することで生じた熱は、光源基板１４７の裏面を経由して放熱板に伝達され、外部に放散される。
【００５０】
ホルダー部材１５０は、二本の導光部材１３０を保持する部材であり、主走査方向に長尺な枠形状の壁部１５１と、壁部１５１と一体に形成された略半円柱側面の取付凹部１５２とを有している。壁部１５１はフレーム１４５の底面に対して略鉛直方向に配置されており、二つの取付凹部１５２が凹部を原稿面側に向けて形成されている。それぞれの取付凹部１５２には、導光部材１３０が位置決めして固定されている。
【００５１】
導光部材１３０は、透光性を有する略円柱状で主走査方向に延びる長尺な透光体からなり、この透光体の長手方向の両端面にそれぞれの光入射面１３１が形成され、透光体の長手方向に沿う側面（図５では上面側の上半分）に光出射面１３２が形成され、透光体の長手方向に沿う光出射面１３２と対向する他の側面（図５では下面側の下半分）に光反射面１３３が形成されている。この導光部材１３０は、アクリル樹脂を金型で成形することにより形成される。
【００５２】
また、導光部材１３０の光反射面１３３は、光出射面１３２に沿った幅方向から視て微小な三角形状（例えばノコギリ状）に形成されている。また、長手方向の中央に行くに従って光量を向上させるという観点から、三角形状に形成された反射面の山と山との頂点間の間隔は、長手方向の中央に行くに従い次第に小さくなっている。反射面の形状としてはノコギリ状に限定されず他の形状でもよく、光が均一となるように反射するように設計しておけば、成型やブラスト加工、印刷技術によって形成してもよい。
【００５３】
このような光源ユニット１４０の構成では、導光部材１３０の両端の光入射面１３１にそれぞれ発光素子１４４が対峙し配置されている。したがって、各発光素子１４４から出射された光は、導光部材１３０の光入射面１３１に入射して導光部材１３０の内部で導光され、光出射面１３２から直接出射されるか、光反射面１３３で反射されて光出射面１３２から出射される。
【００５４】
各導光部材１３０の光出射面１３２は、原稿載置台９２を介して原稿の同一箇所に向けられており、各導光部材１３０の光出射面１３２から出射されたそれぞれの光が原稿の同一箇所に入射して、原稿のその箇所が照明され、原稿のその箇所で反射された反射光が読取光としてスリットＳｔ（図４参照）を通じて第１ミラー１４６に到達してミラーユニット１４１に向けて反射される。
【００５５】
このような構成において、実施の形態１では、導光部材１３０の端面である光入射面１３１に長手方向に向かって穴部１３４が形成され、この穴部１３４の中に、光源基板１４７に搭載された発光素子１４４が配置されている。すなわち、発光素子１４４は穴部１３４内に完全に内包され、導光部材３０の端面である光入射面１３１は、発光素子１４４が搭載された光源基板１４７の表面に密着している。
【００５６】
そして、この穴部１３４の内面全体に、発光素子１４４から出射される照射光のうち赤外領域の波長の光をカットする赤外カットフィルター１３５（図７参照）が配置されている。すなわち、赤外カットフィルター１３５は、発光素子１４４を取り囲むように設けられている。ここで、赤外カットフィルター１３５は、穴部１３４の内面に赤外カットフィルター層を蒸着等によって形成した構成とすることができる。または、穴部１３４の形状に合致した形状の赤外カットフィルター部材を作製し、これを穴部１３４の内面に圧入して装着した構成とすることができる。
【００５７】
なお、赤外カットフィルターを構成する材料としては、アクリル樹脂、ポリカーボネート樹脂、シクロオレフィン樹脂などの高分子重合樹脂からなるプラスチック材料を例示することができる。
【００５８】
この構成によると、発光素子１４４から出射された赤外領域の不要な光をカットすることができるとともに、発光素子１４４からの熱が導光部材１３０を含む周辺部材に伝達されることを防止することができる。
【００５９】
また、導光部材１３０の長手方向に沿った光出射面１３２を除く外周面に、発光素子１４４からの光を反射させる光反射面（反射部材）１３３を設けているので、不要な光のカットとともに、導光部材３０からの光の漏れを低減することができる。
【００６０】
＜実施の形態２＞
図９は、実施の形態２にかかる光源ユニット１４０において、発光素子と導光部材との配置位置関係を拡大して示す概略断面図である。
【００６１】
実施の形態２かかる光源ユニット１４０では、発光素子１４４の光出射面１４４ａに対向する面（上面）を除く穴部１３４の内周面に、発光素子１４４の周囲を囲むようにして、発光素子１４４からの光を反射させる反射部材１３６が設けられている。この例では、反射部材１３６は、赤外カットフィルター１３５と穴部１３４の内周面との間に設けているが、赤外カットフィルター１３５の内周面側に設けても良い。その他の構成は、実施の形態１にかかる光源ユニット１４０と同様であるので、ここでは説明を省略する。
【００６２】
このように、穴部１３４の内周面に反射部材１３６を設けることで、発光素子１４４からの光の漏れを防止することができる。
【００６３】
＜実施の形態３＞
図１０は、実施の形態３にかかる光源ユニット１４０の一端部を拡大して示す概略平面図であり、図１１は、実施の形態３にかかる光源ユニット１４０において、発光素子と導光部材との配置位置関係を拡大して示す概略断面図であり、図１２は、実施の形態３にかかる光源ユニット１４０において、発光素子と導光部材との配置位置関係を拡大して示す概略斜視図である。
【００６４】
実施の形態３にかかる光源ユニット１４０の基本構成は、実施の形態１にかかる光源ユニット１４０と同じであるので、ここでは実施の形態１に係る光源ユニット１４０と異なる部分についてのみ説明する。
【００６５】
実施の形態３にかかる光源ユニット１４０では、発光素子１４４から出射される照射光のうち赤外領域の波長の光をカットする赤外カットフィルター１３５が、光源基板１４７に搭載された発光素子１４４の基板部１４４ｂから導光部材１３０の長手方向の対向する端面である光入射面１３１まで、発光素子１４４の全体を取り囲むように設けられている。すなわち、赤外カットフィルター１３５は、筒状に形成されており、発光素子１４４の基板部１４４ｂ側から導光部材１３０の光入射面１３１に向かって漸次拡開するようにラッパ状に形成された傾斜面１３５ａと、傾斜面１３５ａの光入射面１３１側の端部を閉塞する平坦面１３５ｂとからなっている。
【００６６】
そして、この赤外カットフィルター１３５の傾斜面１３５ａの外周面側に、発光素子１４４からの光を反射させる反射部材１３６を設けた構成としている。反射部材１３６も、発光素子１４４の基板部１４４ｂ側から導光部材１３０の光入射面１３１に向かって漸次拡開するようにラッパ状に形成されている。なお、この例では、反射部材１３６は、赤外カットフィルター１３５の外周面側に設けているが、赤外カットフィルター１３５の内周面側（すなわち、傾斜面１３５ａの内周面）に設けても良い。
【００６７】
この構成によると、赤外カットフィルター１３５によって不要な光をカットするとともに、反射部材１３６によって光の漏れを低減することができる。また、発光素子１４４からの熱が導光部材１３０を含む周辺部材に伝達されることを防止することができる。
【００６８】
＜実施の形態４＞
図１３は、実施の形態４にかかる光源ユニット１４０の一端部を拡大して示す概略平面図であり、図１４は、実施の形態４にかかる光源ユニット１４０において、発光素子と導光部材との配置位置関係を拡大して示す概略断面図であり、図１５は、実施の形態４にかかる光源ユニット１４０において、発光素子と導光部材との配置位置関係を拡大して示す概略斜視図である。
【００６９】
実施の形態４にかかる光源ユニット１４０の基本構成は、実施の形態１にかかる光源ユニット１４０と同じであるので、ここでは実施の形態１に係る光源ユニット１４０と異なる部分についてのみ説明する。
【００７０】
実施の形態４に係る光源ユニット１４０では、発光素子１４４から出射される照射光のうち赤外領域の波長の光をカットする赤外カットフィルター１３５が、発光素子１４４の光出射面１４４ａから導光部材１３０の長手方向の対向する端面である光入射面１３１まで、発光素子１４４の光出射面１４４ａを取り囲むように設けられている。すなわち、赤外カットフィルター１３５は、筒状に形成されており、発光素子１４４の光出射面１４４ａ側から導光部材１３０の光入射面１３１側に向かって漸次拡開するようにラッパ状に形成された傾斜面１３５ａと、傾斜面１３５ａの光入射面１３１側の端部を閉塞する平坦面１３５ｂとからなっている。
【００７１】
そして、この赤外カットフィルター１３５の傾斜面１３５ａの外周面側に、発光素子１４４からの光を反射させる反射部材１３６を設けた構成としている。なお、この例では、反射部材１３６は、赤外カットフィルター１３５の傾斜面１３５ａの外周面側に設けているが、赤外カットフィルター１３５の傾斜面１３５ａの内周面側に設けても良い。
【００７２】
この構成によると、赤外カットフィルター１３５によって不要な光をカットするとともに、反射部材１３６によって光の漏れを低減することができる。また、発光素子１４４からの熱が導光部材１３０を含む周辺部材に伝達されることを防止することができる。
【００７３】
なお、今回開示した実施の形態はすべての点で例示であって、限定的な解釈の根拠となるものではない。従って、本発明の技術的範囲は、上記した実施の形態のみによって解釈されるものではなく、特許請求の範囲の記載に基づいて画定される。また、特許請求の範囲と均等の意味及び範囲内でのすべての変更が含まれる。
【符号の説明】
【００７４】
５０  原稿カバー
９０  原稿読取部（原稿読取装置）
９２  原稿載置台（原稿読取装置）
１００  画像形成装置
１２０  自動原稿送り装置（原稿読取装置、原稿カバー）
１３０  導光部材
１３１  光入射面
１３２  光出射面
１３３  光反射面
１３４  穴部
１３５  赤外カットフィルター（赤外カット手段）
１３５ａ  傾斜面
１３５ｂ  平坦面
１３６  反射部材
１４０  光源ユニット
１４３  撮像素子
１４４  発光素子（ＬＥＤ）
１４４ａ  光出射面
１４４ｂ  基端部
１４５  フレーム
１４６  第１ミラー
１４７  光源基板
１４８  光源駆動回路基板
１４９  放熱板
１５０  ホルダー部材
【図１】
2016158067.tif 000003
【図２】
2016158067.tif 000004
【図３】
2016158067.tif 000005
【図４】
2016158067.tif 000006
【図５】
2016158067.tif 000007
【図６】
2016158067.tif 000008
【図７】
2016158067.tif 000009
【図８】
2016158067.tif 000010
【図９】
2016158067.tif 000011
【図１０】
2016158067.tif 000012
【図１１】
2016158067.tif 000013
【図１２】
2016158067.tif 000014
【図１３】
2016158067.tif 000015
【図１４】
2016158067.tif 000016
【図１５】
2016158067.tif 000017